(57)【要約】【課題】  携帯型端末装置を用いて複数のＴＶ放送を視聴する。【解決手段】  携帯型端末装置１０と自宅１２のＴＶ受像器１２ｃは広域ネットワーク１４で接続される。携帯型端末装置１０を用いてＴＶ受像器１２ｃを遠隔制御し、所望のＴＶ放送を受信させて携帯型端末装置１０に送り込む。携帯型端末装置１０は、特別なＴＶアンテナやチューナを用いることなくＴＶ放送を受信して表示できる。【選択図】  図１
2007006516.tif 000002
【特許請求の範囲】
【請求項１】
コマンドを入力する手段と、
入力された前記コマンドをネットワークを介して送信する手段と、
前記コマンドに応じ前記ネットワークを介して送信された放送データを受信する手段と、
前記放送データを出力する手段と、
を有することを特徴とする携帯型端末装置。
【請求項２】
請求項１記載の装置において、
前記放送データは画像データであり、
前記出力する手段は前記画像データを表示する表示器である
ことを特徴とする携帯型端末装置。
【請求項３】
請求項１、２のいずれかに記載の装置において、
前記コマンドは、前記ネットワークを介して前記放送データを送信すべき装置に対する起動信号を含むことを特徴とする携帯型端末装置。
【請求項４】
請求項１、２のいずれかに記載の装置において、
前記コマンドは、前記ネットワークを介して前記放送データを送信すべき装置に対する放送選択信号を含むことを特徴とする携帯型端末装置。
【請求項５】
請求項１〜４のいずれかに記載の装置において、
前記放送データは、地上波放送データ、衛星放送データ、ケーブルテレビ放送データの少なくともいずれかであることを特徴とする携帯型端末装置。
【請求項６】
請求項１〜４のいずれかに記載の装置において、
前記送信する手段は、さらに前記ネットワークを介して画像データを送信する
ことを特徴とする携帯型端末装置。
【請求項７】
ネットワークを介して送信されたコマンドを受信する受信手段と、
前記コマンドに応じて放送データを受信する手段と、
前記ネットワークを介して前記放送データを送信する手段と、
を有することを特徴とする放送データ送受信装置。
【請求項８】
請求項７記載の装置において、
前記コマンドには複数の放送データのいずれかを選択するコマンドが含まれ、
前記受信する手段は、前記コマンドにより選択された放送データを受信することを特徴とする放送データ送受信装置。
【請求項９】
ネットワークを介して接続された携帯端末装置及び放送データ送受信装置を含む放送データ送受信システムであって、
前記携帯端末装置は、
前記ネットワークを介して前記放送データ送受信装置に対してコマンドを送信する手段と、
前記コマンドに応じて前記放送データ送受信装置から前記ネットワークを介して送信された放送データを受信する手段と、
前記放送データを出力する手段と、
を備え、前記放送データ送受信装置は、
前記携帯型端末装置から送信された前記コマンドを受信する手段と、
前記コマンドに応じて放送データを受信し、前記ネットワークを介して前記携帯型端末装置に前記放送データを送信する手段と、
を備えることを特徴とする放送データ送受信システム。
【発明の詳細な説明】
【技術分野】
【０００１】
本発明は放送データ、例えば地上波放送や衛星放送、ケーブルテレビ放送をネットワークを介して送受信する技術に関する。
【背景技術】
【０００２】
任意の場所から広域ネットワークに接続できる機器として携帯端末装置が知られており、例えばサーバ内に蓄積された画像データをインターネットを介して取得することも可能となっている。
一方、小型のＴＶアンテナ及びＴＶチューナを備え、ＴＶ放送を受信することができる携帯型ＴＶ受信機も開発されており、ユーザは任意の場所、例えば自動車の車内においてもＴＶ放送を楽しむことができる。
【特許文献１】特開平１１−３３１７１６号公報
【発明の開示】
【発明が解決しようとする課題】
【０００３】
インターネットを介して画像データを取得する場合、基本的にサーバ内に予め蓄積された画像データしか取得することができず、例えばユーザが頻繁に視聴するＴＶ放送を見たいと欲する場合でも、サーバ内に蓄積されていなければ見ることができない問題があった。
また、小型ＴＶ受信機においても、放送電波の届く範囲において視聴できるに止まり、例えば自宅にいて地上波放送や衛星放送、あるいはケーブルテレビ放送を適宜選択して楽しむということができない問題があり、仮にこれらを受信する場合には装置構成が複雑化及び大型化し、可搬性が損なわれる問題があった。
【０００４】
本発明は上記従来技術の有する課題に鑑みなされたものであり、その目的は、ＴＶ放送などの複数の放送データを受信し表示することができる携帯型端末装置及び放送データ送受信装置並びに放送データ送受信システムを提供することにある。
【課題を解決するための手段】
【０００５】
上記目的を達成するために、本発明は、コマンドを入力する手段と、入力された前記コマンドをネットワークを介して送信する手段と、前記コマンドに応じ前記ネットワークを介して送信された放送データを受信する手段と、前記放送データを出力する手段とを有することを特徴とする。放送データを受信できる施設をコマンドで遠隔制御し、放送データを受信して携帯型端末装置に送信するよう指示することで、簡易な構成で放送データを視聴することが可能となる。
【０００６】
ここで、前記放送データは画像データであり、前記出力する手段は前記画像データを表示する表示器とすることが好適である。これにより、携帯型端末装置を用いて任意の場所で所望の画像（動画を含む）を見ることができる。
【０００７】
前記コマンドは、前記ネットワークを介して前記放送データを送信すべき装置に対する起動信号を含むことができる。これにより、放送データを受信できる施設、例えばユーザの自宅にあるＴＶ受像器などが起動していない場合にもこれを起動させ、所望の放送データを携帯型端末装置で視聴することができる。
【０００８】
また、前記コマンドは、前記ネットワークを介して前記放送データを送信すべき装置に対する放送選択信号を含むこともできる。これにより、複数の放送メディアあるいは複数の放送チャネルの中から所望のメディアあるいはチャネルを選択し、視聴することが可能となる。
【０００９】
放送データは、例えば地上波放送データ、衛星放送データ、ケーブルテレビ放送データの少なくともいずれかとすることができる。もちろん、これは例示であって、放送データを受信できる施設で受信可能なあらゆる放送メディアを対象とすることができる。
【００１０】
携帯型端末装置は、単に遠隔地にある放送データ受信施設から放送データを受信するだけでなく、放送データ受信施設その他の施設に対して、何らかの手段で取得した画像データを送信することも好適である。ネットワークを介して双方向にデータを送受することで携帯型端末装置の使い勝手が向上し、例えば携帯型端末装置で取得した画像データを自宅の画像記録装置（ＶＴＲやＤＶＤレコーダ、あるいはコンピュータなど）に記録することも可能となる。
【００１１】
また、本発明は、ネットワークを介して送信されたコマンドを受信する受信手段と、前記コマンドに応じて放送データを受信する手段と、前記ネットワークを介して前記放送データを送信する手段とを有することを特徴とする。コマンドを受信して解釈し、コマンドで指定された放送データを受信してネットワークを介して放送データを送信することで、コマンドを送信した側でその放送データを視聴することが可能となる。
【００１２】
また、本発明は、ネットワークを介して接続された携帯端末装置及び放送データ送受信装置を含む放送データ送受信システムであって、前記携帯端末装置は、前記ネットワークを介して前記放送データ送受信装置に対してコマンドを送信する手段と、前記コマンドに応じて前記放送データ送受信装置から前記ネットワークを介して送信された放送データを受信する手段と、前記放送データを出力する手段とを備え、前記放送データ送受信装置は、前記携帯型端末装置から送信された前記コマンドを受信する手段と、前記コマンドに応じて放送データを受信し、前記ネットワークを介して前記携帯型端末装置に前記放送データを送信する手段とを備えることを特徴とする。携帯型端末装置でネットワークを介して放送データ送受信装置を遠隔制御し、放送データを受信するために必要な設備を有している放送データ送受信装置（例えば自宅のＴＶ受像器やサービスセンタ）で受信した放送データを送信させることで、特別な放送受信アンテナやチューナなどを用いることなく携帯型端末装置で所望の放送データを視聴することができる。
【発明の効果】
【００１３】
以上説明したように、本発明によれば、装置構成の複雑化や大型化を招くことなく、携帯型の装置で地上波放送や衛星放送、あるいはケーブルテレビ放送など複数の放送データを容易に視聴することができる。
【発明を実施するための最良の形態】
【００１４】
以下、図面に基づき本発明の実施形態について説明する。
【００１５】
図１には、本実施形態のシステム構成図が示されている。携帯型端末装置１０とユーザの自宅１２が広域ネットワーク１４で接続される。広域ネットワーク１４は有線あるいは無線のいずれであってもよいが、本実施形態では比較的大容量の放送データを伝送するため、大容量及び高転送速度のネットワークを用いることが好適である。
【００１６】
自宅１２には、広域ネットワークと接続されたインタフェースＩ／Ｆ１２ａ、家庭内ネットワーク１２ｂ、この家庭内ネットワーク１２ｂを介してインタフェースＩ／Ｆ１２ａに接続されたＴＶ受像器１２ｃ及びＶＴＲ（あるいはＤＶＤ）１２ｄが設けられており、ＴＶ受像器１２ｃは地上波ＴＶ放送の他、衛星放送やケーブルテレビ放送も受信することができる。
【００１７】
ユーザは携帯型端末装置１０を操作して広域ネットワーク１４を介して自宅１２のＴＶ受像器１２ｃを遠隔制御する。すなわち、携帯型端末装置１０から制御コマンドを送信してＴＶ受像器１２ｃを起動し、ユーザが所望する放送のチャンネルの放送データを受信させる。そして、受信した放送データを家庭内ネットワーク１２ｂ及びインタフェースＩ／Ｆ１２ａ、さらに広域ネットワーク１４を介して携帯型端末装置１０に送信させる。携帯型端末装置１０は、自宅１２のＴＶ受像器１２ｃから送信された放送データを受信し、液晶などのディスプレイに表示する。
【００１８】
図２には、携帯型端末装置１０の構成ブロック図が示されている。携帯型端末装置１０は、広域ネットワーク１４に接続し、各種の制御コマンドを送信するとともに、ＴＶ受像器１２ｃから送信された放送データを受信する通信部１０ａ、データバス１０ｂ、ユーザからのコマンドを入力する入力部１０ｃ、受信した放送データに音声が含まれている場合にその音声を出力するスピーカ１０ｄ及び放送データに含まれる画像データを出力するディスプレイ１０ｅを有して構成される。入力部１０ｃは、例えばタッチスイッチやボタンで構成される制御命令入力部及びユーザが入力した制御命令（コマンド）を解析しデータバス１０ｂを介して通信部１０ａに供給する制御命令解析実行部を有する。
【００１９】
図３には、図２における通信部１０ａの構成ブロック図が示されている。通信部１０ａは、通信制御部及びネットワークインタフェースから構成されている。通信制御部は、データバス１０ｂを介して入力部１０ｃから供給された制御命令（コマンド）に応じて自宅１２側で解釈できるコマンドを発行する制御命令発行部、制御命令発行部からのコマンドをパケットに整形（変換）してネットワークインタフェースに供給するパケット生成部、自宅１２のＴＶ受像器１２ｃからパケット送信されネットワークインタフェースで受信した放送データのパケットを分解するパケット分解部、パケット分解部から供給されたデータを制御データと放送データに分解するデータ分配部、パケット送信されたデータをもとの放送データに復元する映像再構成部、映像再構成部で再構成された放送データを画像データと音声データに分解し、それぞれスピーカとディスプレイに供給する映像分解分配部から構成される。
【００２０】
また、図４には、図１における自宅１２内のＴＶ受像器１２ｃの構成ブロック図が示されている。ＴＶ受像器１２ｃの基本構成は従来のＴＶ受像器とほぼ同様であるが、さらに、携帯型端末装置１０からのコマンドを入力して実行する手段と、受信した放送データを携帯型端末装置１０に送信する手段を有する。すなわち、従来のＴＶ受像器と共通するものは、放送映像受信部及びチャネル選択部、電源スイッチであり、携帯型端末装置１０からのコマンドを入力し実行する手段として通信部及び制御命令解析実行部が設けられ、受信した放送データを携帯型端末装置１０に送信する手段として映像情報生成部及び通信部が設けられる。通信部は家庭内ネットワーク１２ｂに接続されるインタフェース、携帯型端末装置１０からパケット送信されたコマンドデータを分解し制御命令実行部に供給する通信パケット分解部、及び映像情報生成部から供給された放送データをパケットとして送信する通信パケット生成部から構成され、また、映像情報生成部は放送映像受信部で受信した放送データを所定のフォーマットに変換して通信パケット生成部に供給する。用いるフォーマットは任意であり、例えば圧縮されたデジタルデータとすることができる。
【００２１】
以上のような構成において、以下その動作を説明する。
【００２２】
携帯型端末装置１０に特定の放送データを出力させたい場合、ユーザはまず携帯型端末装置１０の入力部１０ｃから「通信開始」のコマンドを入力する。このコマンド入力は、「通信開始」のボタンを操作することでもよく、あるいはキー操作の特定の組み合わせでもよい。「通信開始」のコマンドが入力されると、このコマンドの内容を制御命令解析実行部が解析し、通信部１０ａが広域ネットワーク１４に接続する。
【００２３】
次に、ユーザは入力部１０ｃから「ＴＶ電源ＯＮ」のコマンドを入力する。このコマンドも特定のボタンあるいはキー操作の組み合わせで入力することができる。「ＴＶ電源ＯＮ」のコマンドが入力されると、制御命令解析実行部がこのコマンドを解析し、通信部の制御命令発行部に対して遠隔制御コマンドを発行するように指示する。制御命令発行部は、この指示に従ってＴＶ電源ＯＮを指示する遠隔制御コマンドをパケット生成部に発行し、パケット生成部はこのコマンドをパケットとして広域ネットワーク１４に送信する。
【００２４】
広域ネットワーク１４、Ｉ／Ｆ１２ａ及び家庭内ネットワーク１２ｂを介して転送された遠隔制御コマンドは、ＴＶ受像器１２ｃに取り込まれる。そして、ＴＶ受像器１２ｃの制御命令解析実行部がこの遠隔制御コマンドを解析し、電源スイッチをＯＮする。ＴＶ受像器１２ｃの電源スイッチをＯＮした後、制御命令解析実行部は広域ネットワーク１４を介して携帯型端末装置１０にＴＶ受像器１２ｃの電源がＯＮされたことを通知することが好適である。
【００２５】
次に、ユーザは携帯型端末装置１０の入力部１０ｃから「ＴＶチャネル選択」のコマンドを入力する。このコマンドは、地上波ＴＶチャネル、衛星放送のチャネル、あるいはケーブルテレビのチャネルのいずれかを選択するコマンドであり、例えば「衛星放送の１ｃｈ」なるコマンドを入力する。コマンドが入力されると、制御命令解析実行部がこのコマンドを解析し、通信部の制御命令発行部に対して遠隔制御コマンドを発行するように指示する。制御命令発行部は、この指示に従ってＴＶ受像器１２ｃのチャネルを制御する遠隔制御コマンドをパケット生成部に発行し、パケット生成部はこのコマンドをパケットとして広域ネットワーク１４に送信する。
【００２６】
広域ネットワーク１４、Ｉ／Ｆ１２ａ及び家庭内ネットワーク１２ｂを介して転送された遠隔制御コマンドは、ＴＶ受像器１２ｃに取り込まれる。そして、ＴＶ受像器１２ｃの制御命令解析実行部がこの遠隔制御コマンドを解析し、チャネル選択部で指定されたチャネルに放送映像受信部を同調させ、指定されたチャネルの放送データを受信する。
【００２７】
そして、ユーザは携帯型端末装置１０の入力部１０ｃから「送信開始」のコマンドを入力すると、この遠隔制御コマンドを受信したＴＶ受像器１２ｃでは受信した放送データを映像情報生成部で所定のフォーマットに変換し、さらに通信パケット生成部でパケットに格納されて広域ネットワーク１４に送信する。
【００２８】
携帯型端末装置１０は、広域ネットワーク１４を介してＴＶ受像器１２ｃから送信された放送データを受信し、映像再構成部にて所定のフォーマットに変換された放送データを元の放送データに復調し、映像分解分配部にて画像データと音声データに分解してそれぞれディスプレイ１０ｅとスピーカ１０ｄに供給する。これにより、ユーザは携帯型端末装置１０を用いて自宅１２に居る場合と同様に種々の放送データを楽しむことができる。
【００２９】
なお、本実施形態では、「ＴＶチャネル選択」コマンドを送信した後に、「送信開始」コマンドを送信してＴＶ受像器１２ｃから放送データを送信させているが、「ＴＶチャネル選択」コマンドのみで放送データの受信及び携帯型端末装置１０への送信を一括して処理してもよいのは言うまでもない。
【００３０】
また、本実施形態では、ＴＶ受像器１２ｃで放送データを受信して携帯型端末装置１０に放送データを送信させているが、家庭内ネットワーク１２ｂに接続された他の機器、例えばＶＴＲやＤＶＤ、ＣＤプレーヤなどで記録媒体を再生させ、再生した映像データを送信させるようにしてもよい。
【００３１】
さらに、携帯型端末装置１０に例えばカメラなどの撮影装置を設け、得られた画像データを広域ネットワーク１４を介して自宅１２側に送信することも好適である。携帯型端末装置１０から送信された画像データは例えば自宅１２内のＶＴＲに記録される。携帯型端末装置１０と自宅１２内の機器は双方向データ送受を可能とすることが好適である。
【００３２】
図５には、他の実施形態に係るシステム構成図が示されている。図１と異なる点は、広域ネットワーク１４に自宅１２の他にさらにサービスセンタ１６が接続され、携帯型端末装置１０とサービスセンタ１６との間で放送データの送受を行う点である。
【００３３】
図６には、図５におけるサービスセンタ１６の構成ブロック図が示されている。サービスセンタ１６は、ＴＶ受像器１２ｃ同様の機能を有する通信部、制御命令解析実行部、チャネル選択部、放送映像受信部、映像情報生成部を有するが、さらにサービスの提供を受けるユーザ情報を記憶する登録者データベース、アクセスしたユーザを登録者データベースと照合して認証する登録者認証部、及び認証したユーザに対して承認情報を送信する承認情報生成部を備える。放送映像受信部は、全国的な放送データを受信することも可能であるが、サービスセンタ１６が設置されている近傍の放送データ、いわゆる地方局の放送データを受信することが特に好適である。
【００３４】
このような構成において、ユーザが「通信開始」のコマンドを入力して広域ネットワークに接続した後、「サービス提供要求」コマンドをサービスセンタ１６に送信すると、サービスセンタ１６の登録者認証部でサービス提供を要求したユーザが登録者データベースに登録されたユーザであるか否かを確認する。確認に際しては、ユーザのＩＤを送信するよう求めてもよい。ユーザが認証されると、承認情報を携帯型端末装置１０に送信し、ユーザはこの承認情報を受け取ると、「ＴＶチャネル選択」コマンドをサービスセンタ１６に送信する。以下の処理は上述した実施形態と同様であり、選択したチャネルの放送データがサービスセンタ１６から携帯型端末装置１０に送信され、ディスプレイ１０ｅに画像が表示され、スピーカ１０ｄから音声が出力される。サービスセンタ１６が地方局の放送データを受信する場合、ユーザはその地方独自の放送データを携帯型端末装置１０を用いて容易に視聴することができる。
【００３５】
なお、上述した実施形態において、携帯型端末装置１０は他の機能、例えば携帯電話としての機能を有していてもよい。
【００３６】
また、サービスセンタ１６は放送データのみならず、さらに他のデータを提供してもよい。例えば、その地方独自のトピックスやニュースデータなどを適宜編集して提供してもよい。
【図面の簡単な説明】
【００３７】
【図１】実施形態のシステム構成図である。
【図２】図１における携帯型端末装置の構成ブロック図である。
【図３】図２における通信部の構成ブロック図である。
【図４】図１におけるＴＶ受像器の構成ブロック図である。
【図５】他の実施形態のシステム構成図である。
【図６】図５におけるサービスセンタの構成ブロック図である。
【符号の説明】
【００３８】
１０  携帯型端末装置、１２  自宅、１２ｃ  ＴＶ受像器、１４  広域ネットワーク。
【図１】
2007006516.tif 000003
【図２】
2007006516.tif 000004
【図３】
2007006516.tif 000005
【図４】
2007006516.tif 000006
【図５】
2007006516.tif 000007
【図６】
2007006516.tif 000008